(57)【要約】【課題】  上位装置から画面表示スタイルと画面表示データとを取得して画面表示を行うときに、過去に表示した画面を再度表示する場合の画面表示処理時間を短縮する。【解決手段】  サーバコンピュータ２００は画面表示スタイルを画面表示スタイルファイル２５８に保存する。クライアントコンピュータ１００は画面表示データを表示させるために必要な画面表示スタイルを入手するために画面表示スタイル受信管理制御部１０５が画面表示スタイルメモリテーブル１５５または画面表示スタイル一時保存ファイル１５４を検索し、ない場合はサーバコンピュータ２００から入手する。画面表示制御部１０６は入手した画面表示スタイルに画面表示データを埋め込んで合成画面データを作成する。画面表示データが複数ページの場合は、合成画面データ作成中に画面表示データ受信管理制御部１０３が次ページ以降の画面表示データ入手を行う。【選択図】      図１
2006195661.tif 000002
【特許請求の範囲】
【請求項１】
サーバコンピュータとクライアントコンピュータとを備え、
前記サーバコンピュータは、画面表示スタイルを記憶する手段を有し、
前記クライアントコンピュータは、画面表示スタイルを記憶する記憶装置と、画面表示データを表示させるために必要な画面表示スタイルを入手するために前記記憶装置を検索し前記記憶装置から入手できない場合は前記サーバコンピュータから入手する画面表示スタイル受信管理制御部と、入手した画面表示スタイルに前記画面表示データを埋め込んで合成画面データを作成する画面表示制御部とを有することを特徴とする画面表示方式。
【請求項２】
前記クライアントコンピュータは、前記記憶装置として主記憶装置と補助記憶装置とを有し、過去に使用した画面表示スタイルを一時保持する画面表示スタイルメモリテーブルを前記主記憶装置内に有し、過去に使用した画面表示スタイルを保存する画面表示スタイル一時保存ファイルを前記補助記憶装置内に有し、
前記画面表示スタイル受信管理制御部は、必要な画面表示スタイルを入手するために前記画面表示スタイルメモリテーブルを検索し、前記画面表示スタイルメモリテーブルから入手できない場合は前記画面表示スタイル一時保存ファイルを検索することを特徴とする請求項１記載の画面表示方式。
【請求項３】
前記画面表示スタイル受信管理制御部は、前記サーバコンピュータから入手した画面表示スタイルを前記画面表示スタイルメモリテーブルに一時保持させることを特徴とする請求項１または２記載の画面表示方式。
【請求項４】
前記画面表示スタイル受信管理制御部は、前記サーバコンピュータから入手した画面表示スタイルを前記画面表示スタイル一時保存ファイルに一時保存させることを特徴とする請求項１、２または３記載の画面表示方式。
【請求項５】
前記クライアントコンピュータは、過去に使用した画面表示データを前記補助記憶装置内に保存する画面表示データ一時保存ファイルと、必要な画面表示データを入手するために前記補助記憶装置を検索し、前記補助記憶装置から入手できない場合は前記サーバコンピュータから入手する画面表示データ受信管理制御部とを有することを特徴とする請求項１、２、３または４記載の画面表示方式。
【請求項６】
画面表示データが複数ページにまたがる場合には、前記画面表示制御部の合成画面データ作成中に前記画面表示データ受信管理制御部が次ページ以降の画面表示データ入手を行うことを特徴とする請求項１、２、３、４または５記載の画面表示方式。
【請求項７】
画面表示データを表示させるために必要な画面表示スタイルを入手するために記憶装置を検索するステップと、
前記記憶装置から入手できない場合はサーバコンピュータから入手するステップと、
入手した画面表示スタイルに前記画面表示データを埋め込んで合成画面データを作成するステップとを有することを特徴とする画面表示方法。
【請求項８】
画面表示スタイルを記憶する記憶装置と、画面表示データを表示させるために必要な画面表示スタイルを入手するために前記記憶装置を検索し前記記憶装置から入手できない場合はサーバコンピュータから入手する画面表示スタイル受信管理制御部と、入手した画面表示スタイルに前記画面表示データを埋め込んで合成画面データを作成する画面表示制御部とを有することを特徴とするクライアントコンピュータ。
【請求項９】
前記記憶装置として主記憶装置と補助記憶装置とを有し、過去に使用した画面表示スタイルを一時保持する画面表示スタイルメモリテーブルを前記主記憶装置内に有し、過去に使用した画面表示スタイルを保存する画面表示スタイル一時保存ファイルを前記補助記憶装置内に有し、
前記画面表示スタイル受信管理制御部は、必要な画面表示スタイルを入手するために前記画面表示スタイルメモリテーブルを検索し、前記画面表示スタイルメモリテーブルから入手できない場合は前記画面表示スタイル一時保存ファイルを検索することを特徴とする請求項８記載のクライアントコンピュータ。
【請求項１０】
前記画面表示スタイル受信管理制御部は、前記サーバコンピュータから入手した画面表示スタイルを前記画面表示スタイルメモリテーブルに一時保持させることを特徴とする請求項８または９記載のクライアントコンピュータ。
【請求項１１】
前記画面表示スタイル受信管理制御部は、前記サーバコンピュータから入手した画面表示スタイルを前記画面表示スタイル一時保存ファイルに一時保存させることを特徴とする請求項８、９または１０記載のクライアントコンピュータ。
【請求項１２】
過去に使用した画面表示データを前記補助記憶装置内に保存する画面表示データ一時保存ファイルと、必要な画面表示データを入手するために前記補助記憶装置を検索し、前記補助記憶装置から入手できない場合は前記サーバコンピュータから入手する画面表示データ受信管理制御部とを有することを特徴とする請求項８、９、１０または１１記載のクライアントコンピュータ。
【請求項１３】
画面表示データが複数ページにまたがる場合には、前記画面表示制御部の合成画面データ作成中に前記画面表示データ受信管理制御部が次ページ以降の画面表示データ入手を行うことを特徴とする請求項８、９、１０、１１または１２記載のクライアントコンピュータ。
【請求項１４】
画面表示データを表示させるために必要な画面表示スタイルを入手するために記憶装置を検索する処理と、
前記記憶装置から入手できない場合はサーバコンピュータから入手する処理と、
入手した画面表示スタイルに前記画面表示データを埋め込んで合成画面データを作成する処理とをコンピュータに実行させるためのプログラム。
【発明の詳細な説明】
【技術分野】
【０００１】
本発明は画面表示方式、画面表示方法およびプログラムに関し、特に、クライアントコンピュータがサーバコンピュータから画面表示スタイルと画面表示データとを取得して画面表示を行う画面表示方式、画面表示方法およびプログラムに関する。
【背景技術】
【０００２】
従来の画面表示方式の一例が特許文献１に記載されている。図１０は従来の画面表示方式を示すブロック図である。この画面表示方式では、クライアントコンピュータ６００がサーバコンピュータ７００に対して文書転送要求を送信する。サーバコンピュータ７００は要求された文書の画面表示データである文書ファイルと画面表示スタイルファイルとを格納部から取り出してクライアントコンピュータ６００に送信する。クライアントコンピュータ６００は送信されたスタイルファイルを用いて文書ファイルの内容を画面に表示する。
【０００３】
この従来の画面表示方式では、過去に表示されたクライアントコンピュータの画面表示データを再度表示する場合、画面表示スタイルファイルをサーバコンピュータから再度取得することになる。また、画面表示データが複数のページにまたがり、２ページ目以降のデータを表示する場合、その都度画面表示データをサーバコンピュータから取得することになる。
【０００４】
【特許文献１】特開平１１−１１０２７８号公報（第４頁、図１、図４）
【発明の開示】
【発明が解決しようとする課題】
【０００５】
上述した従来の画面表示方式においては、過去に表示されたクライアントコンピュータの画面を再度表示する場合、画面表示スタイルをサーバコンピュータから再度取得するため、画面表示処理に時間がかかるという問題点があった。
【０００６】
また、画面表示データが複数のページにまたがり、２ページ目以降のデータを表示する場合、その都度画面表示データをサーバコンピュータから取得するため、画面表示処理に時間がかかるという問題点があった。
【０００７】
本発明の目的は、上述した従来の課題のいずれかをも解決する画面表示方式、画面表示方法およびプログラムを提供することにある。
【課題を解決するための手段】
【０００８】
本発明の画面表示方式は、サーバコンピュータとクライアントコンピュータとを備え、
前記サーバコンピュータは、画面表示スタイルを記憶する手段を有し、
前記クライアントコンピュータは、画面表示スタイルを記憶する記憶装置と、画面表示データを表示させるために必要な画面表示スタイルを入手するために前記記憶装置を検索し前記記憶装置から入手できない場合は前記サーバコンピュータから入手する画面表示スタイル受信管理制御部と、入手した画面表示スタイルに前記画面表示データを埋め込んで合成画面データを作成する画面表示制御部とを有することを特徴とする。
【０００９】
本発明の画面表示方式は、前記クライアントコンピュータは、前記記憶装置として主記憶装置と補助記憶装置とを有し、過去に使用した画面表示スタイルを一時保持する画面表示スタイルメモリテーブルを前記主記憶装置内に有し、過去に使用した画面表示スタイルを保存する画面表示スタイル一時保存ファイルを前記補助記憶装置内に有し、
前記画面表示スタイル受信管理制御部は、必要な画面表示スタイルを入手するために前記画面表示スタイルメモリテーブルを検索し、前記画面表示スタイルメモリテーブルから入手できない場合は前記画面表示スタイル一時保存ファイルを検索することを特徴とする。
【００１０】
本発明の画面表示方式は、前記画面表示スタイル受信管理制御部は、前記サーバコンピュータから入手した画面表示スタイルを前記画面表示スタイルメモリテーブルに一時保持させることを特徴とする。
【００１１】
本発明の画面表示方式は、前記画面表示スタイル受信管理制御部は、前記サーバコンピュータから入手した画面表示スタイルを前記画面表示スタイル一時保存ファイルに一時保存させることを特徴とする。
【００１２】
本発明の画面表示方式は、前記クライアントコンピュータは、過去に使用した画面表示データを前記補助記憶装置内に保存する画面表示データ一時保存ファイルと、必要な画面表示データを入手するために前記補助記憶装置を検索し、前記補助記憶装置から入手できない場合は前記サーバコンピュータから入手する画面表示データ受信管理制御部とを有することを特徴とする。
【００１３】
本発明の画面表示方式は、画面表示データが複数ページにまたがる場合には、前記画面表示制御部の合成画面データ作成中に前記画面表示データ受信管理制御部が次ページ以降の画面表示データ入手を行うことを特徴とする。
【００１４】
本発明の画面表示方法は、画面表示データを表示させるために必要な画面表示スタイルを入手するために記憶装置を検索するステップと、
前記記憶装置から入手できない場合はサーバコンピュータから入手するステップと、
入手した画面表示スタイルに前記画面表示データを埋め込んで合成画面データを作成するステップとを有することを特徴とする。
【００１５】
本発明のクライアントコンピュータは、画面表示スタイルを記憶する記憶装置と、画面表示データを表示させるために必要な画面表示スタイルを入手するために前記記憶装置を検索し前記記憶装置から入手できない場合はサーバコンピュータから入手する画面表示スタイル受信管理制御部と、入手した画面表示スタイルに前記画面表示データを埋め込んで合成画面データを作成する画面表示制御部とを有することを特徴とする。
【００１６】
本発明のクライアントコンピュータは、前記記憶装置として主記憶装置と補助記憶装置とを有し、過去に使用した画面表示スタイルを一時保持する画面表示スタイルメモリテーブルを前記主記憶装置内に有し、過去に使用した画面表示スタイルを保存する画面表示スタイル一時保存ファイルを前記補助記憶装置内に有し、
前記画面表示スタイル受信管理制御部は、必要な画面表示スタイルを入手するために前記画面表示スタイルメモリテーブルを検索し、前記画面表示スタイルメモリテーブルから入手できない場合は前記画面表示スタイル一時保存ファイルを検索することを特徴とする。
【００１７】
本発明のクライアントコンピュータは、前記画面表示スタイル受信管理制御部は、前記サーバコンピュータから入手した画面表示スタイルを前記画面表示スタイルメモリテーブルに一時保持させることを特徴とする。
【００１８】
本発明のクライアントコンピュータは、前記画面表示スタイル受信管理制御部は、前記サーバコンピュータから入手した画面表示スタイルを前記画面表示スタイル一時保存ファイルに一時保存させることを特徴とする。
【００１９】
本発明のクライアントコンピュータは、過去に使用した画面表示データを前記補助記憶装置内に保存する画面表示データ一時保存ファイルと、必要な画面表示データを入手するために前記補助記憶装置を検索し、前記補助記憶装置から入手できない場合は前記サーバコンピュータから入手する画面表示データ受信管理制御部とを有することを特徴とする。
【００２０】
本発明のクライアントコンピュータは、画面表示データが複数ページにまたがる場合には、前記画面表示制御部の合成画面データ作成中に前記画面表示データ受信管理制御部が次ページ以降の画面表示データ入手を行うことを特徴とする。
【００２１】
本発明のプログラムは、画面表示データを表示させるために必要な画面表示スタイルを入手するために記憶装置を検索する処理と、
前記記憶装置から入手できない場合はサーバコンピュータから入手する処理と、
入手した画面表示スタイルに前記画面表示データを埋め込んで合成画面データを作成する処理とをコンピュータに実行させる。
【発明の効果】
【００２２】
本発明は、一度使用した画面表示データと画面表示スタイルをクライアントコンピュータに保持することにより、過去に表示した画面や複数ページの画面の表示処理時間が短縮できるという効果がある。
【発明を実施するための最良の形態】
【００２３】
本発明を実施するための最良の形態について図面を参照して詳細に説明する。図１は本発明の実施の形態の構成を示すブロック図である。
【００２４】
本発明の実施の形態は、クライアントコンピュータ１００とサーバコンピュータ２００とが通信回線３００で接続されている。
【００２５】
クライアントコンピュータ１００は、内部または外部に１台または複数台の補助記憶装置１２０を有し、また、内部または外部に表示装置１３０を有する。補助記憶装置１２０は、磁気ディスク記憶装置である。表示装置１３０は、ＣＲＴ（cathode-ray tube）やＬＣＤ（liquid crystal display）を用いて画面表示を行うディスプレイ装置である。クライアントコンピュータ１００はさらに、図示しないが、データ入力を行うためのキーボードやマウス等の入力装置と、データを印刷出力するためのプリンタを必要に応じて有する。クライアントコンピュータ１００は、補助記憶装置１２０内に、画面表示データ一時保存ファイル１５３、画面表示スタイル一時保存ファイル１５４、画面表示スタイル管理ファイル１５６を有する。クライアントコンピュータ１００は、主記憶装置１１０内に画面表示スタイルメモリテーブル１５５を有する。クライアントコンピュータ１００は、利用者要求受け付け制御部１０１、画面表示データ取得要求制御部１０２、画面表示データ受信管理制御部１０３、画面表示スタイル取得要求制御部１０４、画面表示スタイル受信管理制御部１０５、画面表示制御部１０６を有する。
【００２６】
画面表示データ一時保存ファイル１５３は、複数ページにまたがる画面表示データをクライアントコンピュータ１００に一時的に保存するファイルである。画面表示スタイル一時保存ファイル１５４は、過去に表示使用した画面表示スタイルをクライアントコンピュータ１００に一時的に保存するファイルである。画面表示スタイルメモリテーブル１５５は、過去に表示使用した画面表示スタイルをクライアントコンピュータ１００のメモリ上に一時的に保持するテーブルである。画面表示スタイル管理ファイル１５６は、過去に表示使用した画面表示スタイル一時保存ファイル１５４を管理するファイルである。画面表示データ一時保存ファイル１５３、画面表示スタイル一時保存ファイル１５４、画面表示スタイル管理ファイル１５６は、複数のファイルからなるフォルダであってもよい。
【００２７】
利用者要求受け付け制御部１０１は、利用者からの要求を受け付ける。画面表示データ取得要求制御部１０２は、画面表示データの取得要求を行う。画面表示データ受信管理制御部１０３は、画面表示データのサーバコンピュータ２００からの受信と画面表示データ一時保存ファイル１５３への保存を制御する。画面表示スタイル取得要求制御部１０４は、画面表示スタイルの取得要求を行う。画面表示スタイル受信管理制御部１０５は、画面表示スタイルのサーバコンピュータ２００からの受信と画面表示スタイル一時保存ファイル１５４への保存および画面表示スタイルメモリテーブル１５５への保持および画面表示スタイル管理ファイル１５６への保存を制御する。画面表示制御部１０６は、画面表示データと画面表示スタイルを合成して合成画面データを作成し、この合成画面データを表示装置１３０へ画面表示させる制御を行う。
【００２８】
サーバコンピュータ２００は、内部または外部に１台または複数台の補助記憶装置２２０を有する。補助記憶装置２２０は磁気ディスク記憶装置である。サーバコンピュータ２００は、補助記憶装置２２０内に、データベース２５７、画面表示スタイルファイル２５８を有する。サーバコンピュータ２００は、さらに、画面表示データ受け付け制御部２０１、データベース検索制御部２０２、画面表示データ送信制御部２０３、画面表示スタイル受け付け制御部２０４、画面表示スタイル読み込み制御部２０５、画面表示スタイル送信制御部２０６を有する。
【００２９】
データベース２５７は、全ての画面表示データをサーバコンピュータ２００に保存するデータベースである。画面表示スタイルファイル２５８は、全ての画面表示スタイルをサーバコンピュータ２００に保存するファイルである。画面表示スタイルファイル２５８は、複数のファイルからなるフォルダであってもよい。
【００３０】
画面表示データ受け付け制御部２０１は、クライアントコンピュータ１００からの画面表示データの取得要求を受け付ける。データベース検索制御部２０２は、画面表示データをデータベース２５７から検索する。画面表示データ送信制御部２０３は、検索した画面表示データをページに分割してクライアントコンピュータ１００に送信する。画面表示スタイル受け付け制御部２０４は、クライアントコンピュータ１００からの画面表示スタイルの取得要求を受け付ける。画面表示スタイル読み込み制御部２０５は、画面表示スタイルファイル２５８から画面表示スタイルを読み込む。画面表示スタイル送信制御部２０６は、読み込んだ画面表示スタイルをクライアントコンピュータ１００に送信する。
【００３１】
次に、本発明の動作について説明する。図２は画面表示データを取得する動作を示すフローチャートである。図３は画面表示スタイルを取得して画面表示データを埋め込んで合成画面データを作成し画面表示する動作を示すフローチャートである。
【００３２】
まず、利用者が利用者要求受け付け制御部１０１に対し、画面ＩＤ（identification）、データの検索条件（データベーステーブル名と抽出条件）、ページ番号を与え、データの検索と検索結果の表示要求を行う。利用者要求受け付け制御部１０１は、要求を受け付け（ステップＡ１）、画面ＩＤ、データの検索条件、ページ番号の情報を画面表示データ取得要求制御部１０２に通知する（ステップＡ２）。
【００３３】
また、利用者要求受け付け制御部１０１は、画面ＩＤの情報を画面表示スタイル取得要求制御部１０４に通知する（後述する図３のステップＢ１）。
【００３４】
画面表示データ取得要求制御部１０２は、画面表示データ受信管理制御部１０３に対し、利用者要求受け付け制御部１０１から受け取った、画面ＩＤ、データの検索条件、ページ番号の情報をそのまま通知する（ステップＡ３）。
【００３５】
画面表示データ受信管理制御部１０３は、画面ＩＤとページ番号の情報をキーに、画面表示データ一時保存ファイル１５３を検索する（ステップＡ４）。対象となる画面表示データがある場合には、画面表示データ受信管理制御部１０３は、画面表示データ取得要求制御部１０２に画面表示データを返却する（ステップＡ１２）。
【００３６】
ステップＡ４で、対象となる画面表示データがない場合には、画面表示データ受信管理制御部１０３は、画面表示データ受け付け制御部２０１に対し、データの検索条件とページ番号の情報を通信回線３００を介して送信する（ステップＡ５）。
【００３７】
図４は画面表示データ一時保存ファイル１５３の構造の一例を示す図である。画面表示データ一時保存ファイル１５３は画面ＩＤとページ番号と画面表示データとを関連付ける。
【００３８】
画面表示データ受け付け制御部２０１は、通信回線３００を介して送られてきた、データの検索条件とページ番号を、データベース検索制御部２０２に対し、そのまま通知する。（ステップＡ６）。
【００３９】
データベース検索制御部２０２は、データの検索条件に従ってデータベース２５７を検索する（ステップＡ７）。データベース検索制御部２０２は、ヒットしたデータを読み込んで、要求されたページ番号のページを抽出し、画面表示データ送信制御部２０３に対し、画面表示データを渡す（ステップＡ８）。
【００４０】
画面表示データ送信制御部２０３は、画面表示データ受信管理制御部１０３に対し、通信回線３００を介して画面表示データを送信する（ステップＡ９）。
【００４１】
画面表示データ受信管理制御部１０３は、通信回線３００を介して送られてきた画面表示データを、画面ＩＤとページ番号の情報をキーに、画面表示データ一時保存ファイル１５３に登録する（ステップＡ１０）。登録後、画面表示データ受信管理制御部１０３は、画面表示データを画面表示データ取得要求制御部１０２に返却する（ステップＡ１１）。
【００４２】
画面表示データ取得要求制御部１０２は、画面表示データを画面表示制御部１０６に渡す（ステップＡ１２）。
【００４３】
画面表示データ受信管理制御部１０３は、同じ画面ＩＤで続きのページがあるかを判断する（ステップＡ１３）。ある場合は、画面表示データ受信管理制御部１０３は、同じ画面ＩＤと続きのページ番号の情報をキーに、画面表示データ一時保存ファイル１５３を検索する。対象となる画面表示データがない場合には、画面表示データ受信管理制御部１０３は、画面表示データ受け付け制御部２０１に対し、データの検索条件とページ番号の情報を、通信回線３００を介して送信する。
【００４４】
このように、同じ画面ＩＤで続きのページがあるかを画面表示データ受信管理制御部１０３が判断して、ある場合には、ステップＡ４からＡ１２の動作が繰り返される。ない場合は、画面表示データ受信管理制御部１０３は、画面表示データ取得動作を終了する。
【００４５】
次に、図３を参照して、画面表示スタイルを取得して画面表示データを埋め込んで合成画面データを作成し画面表示する動作を説明する。
【００４６】
前述したように、図２のステップＡ２のとき、利用者要求受け付け制御部１０１は、画面表示スタイル取得要求制御部１０４に画面ＩＤの情報を通知する（ステップＢ１）。
【００４７】
画面表示スタイル取得要求制御部１０４は、画面表示スタイル受信管理制御部１０５に対し、利用者要求受け付け制御部１０１から受け取った画面ＩＤをそのまま通知する。（ステップＢ２）。
【００４８】
画面表示スタイル受信管理制御部１０５は、まず、画面表示スタイル管理ファイル１５６の情報を画面表示スタイルメモリテーブル１５５に読み込む（ステップＢ３）。図５は画面表示スタイル管理ファイル１５６の構造の一例を示す図である。画面表示スタイル管理ファイル１５６は、画面ＩＤと画面表示スタイルファイル名とを関連付けている。図６は、画面表示スタイルメモリテーブル１５５の構造の一例を示す図である。画面表示スタイルメモリテーブル１５５は画面ＩＤと画面表示スタイルファイル名と画面表示スタイルとを関連付けている。
【００４９】
画面表示スタイル受信管理制御部１０５は、画面ＩＤの情報から、対象となる画面表示スタイルが画面表示スタイルメモリテーブル１５５にあるかを検索する（ステップＢ４）。対象となる画面表示スタイルがある場合には、画面表示スタイル受信管理制御部１０５は、画面表示スタイル取得要求制御部１０４に画面表示スタイルを返却する（ステップＢ１５）。
【００５０】
対象となる画面表示スタイルがない場合には、画面表示スタイル受信管理制御部１０５は、画面ＩＤの情報から、画面表示スタイルメモリテーブル１５５を検索し、画面表示スタイルファイル名を取得する（ステップＢ５）。
【００５１】
画面表示スタイル受信管理制御部１０５は、対象となる画面表示スタイルファイル名が画面表示スタイル一時保存ファイル１５４にあるかを検索する（ステップＢ６）。ある場合には、画面表示スタイル受信管理制御部１０５は、そのファイル名の画面表示スタイルを画面表示スタイル一時保存ファイル１５４から読み込み、画面表示スタイル取得要求制御部１０４に返却する（ステップＢ１５）。
【００５２】
ステップＢ６で、対象となる画面表示スタイルがない場合には、画面表示スタイル受信管理制御部１０５は、画面表示スタイルファイル名の情報を、画面表示スタイル受け付け制御部２０４に通信回線３００を介して送信する（ステップＢ７）。
【００５３】
画面表示スタイル受け付け制御部２０４は、通信回線３００を介して送られてきた画面表示スタイルファイル名の情報を、画面表示スタイル読み込み制御部２０５にそのまま通知する（ステップＢ８）。
【００５４】
画面表示スタイル読み込み制御部２０５は、対象となる画面表示スタイルファイル２５８を補助記憶装置２２０から読み込む（ステップＢ９）。画面表示スタイル読み込み制御部２０５は、読み込んだ画面表示スタイルを画面表示スタイル送信制御部２０６に渡す（ステップＢ１０）。
【００５５】
画面表示スタイル送信制御部２０６は、画面表示スタイルを通信回線３００を介して画面表示スタイル受信管理制御部１０５に送信する（ステップＢ１１）。
【００５６】
画面表示スタイル受信管理制御部１０５は、通信回線３００を介して送られてきた画面表示スタイルを、画面表示スタイル一時保存ファイル１５４に保存する（ステップＢ１２）。さらに画面表示スタイル受信管理制御部１０５は、画面表示スタイルを、画面表示スタイルメモリテーブル１５５に画面ＩＤをキーに登録（ステップＢ１３）後、画面表示スタイル取得要求制御部１０４に返却する（ステップＢ１５）。
【００５７】
画面表示スタイル取得要求制御部１０４は、画面表示スタイルを画面表示制御部１０６に渡す。画面表示制御部１０６は、画面表示スタイルにステップＡ１２で入手している画面表示データを埋め込んで合成画面データを作成し、表示装置１３０に表示する（ステップＢ１６）。
【００５８】
図７は画面表示データの一例を示す図である。「注文番号」、「注文日」、…に実際のデータが書き込まれている。図８、図９は画面表示スタイルの一例を示す図である。ステップＢ１６で、画面表示制御部１０６は、図８の画面表示スタイル（ファイル名：Ｏｒｄｅｒ．Ｘｓｌ）に図７の画面表示データを埋め込んで、合成画面データとして「注文書」を作成する。「注文書」は、図８の画面表示スタイルの空欄に具体的なデータが記載される。同様に、画面表示制御部１０６は、図９の画面表示スタイル（ファイル名：Ｄｅｌｉｖｅｒｙ．Ｘｓｌ）に図７の画面表示データを埋め込んで、合成画面データとして「納品書」を作成する。
【００５９】
ステップＢ１６の画面表示処理中に、クライアントコンピュータ１００はステップＡ４〜Ａ１３の画面表示データの取得を並行して行う。この並行処理により、画像表示データが複数のページにまたがる場合に、２回目以降の画面表示処理が早くなる。
【００６０】
補助記憶装置１２０に比較して読み書きが高速である主記憶装置１１０に画面表示スタイルメモリテーブル１５５を保持することにより、画面表示処理を高速に行うことが可能となる。
【００６１】
画面表示スタイルに変更があった場合、サーバコンピュータ２００の画面表示スタイルファイル２５８が更新される。更新されたら、更新された画面表示スタイルを画面表示スタイル読み込み制御部２０５が読み込んで画面表示スタイル送信制御部２０６がクライアントコンピュータ１００に送信する。画面表示スタイル受信管理制御部１０５は、更新された画面表示スタイルを受信して画面表示スタイル一時保存ファイル１５４に保存する。この動作により、サーバコンピュータ２００上の画面表示スタイルファイル２５８とクライアントコンピュータ上の画面表示スタイル一時保存ファイル１５４の版数（またはバージョン）を合わせる。
【００６２】
本発明の実施の形態の利用者要求受け付け制御部１０１、画面表示データ取得要求制御部１０２、画面表示データ受信管理制御部１０３、画面表示スタイル取得要求制御部１０４、画面表示スタイル受信管理制御部１０５、画面表示制御部１０６の動作はコンピュータ・プログラム処理により行わせることが可能である。すなわち、記録媒体に記録したプログラムをコンピュータに読み込ませるか、あるいは、ネットワークからプログラムをコンピュータに読み込ませて、実施の形態で説明したこれら各部の動作を実行させる。また、本発明の実施の形態の画面表示データ受け付け制御部２０１、データベース検索制御部２０２、画面表示データ送信制御部２０３、画面表示スタイル受け付け制御部２０４、画面表示スタイル読み込み制御部２０５、画面表示スタイル送信制御部２０６の動作もコンピュータ・プログラム処理により行わせることが可能である。すなわち、記録媒体に記録したプログラムをコンピュータに読み込ませるか、あるいは、ネットワークからプログラムをコンピュータに読み込ませて、実施の形態で説明したこれら各部の動作を実行させる。
【００６３】
本発明は、プリンタに応用することもできる。すなわち、画面表示データの代わりに印刷データ、画面表示スタイルの代わりに印刷スタイルを、それぞれ用いて印刷出力データを作成する。
【図面の簡単な説明】
【００６４】
【図１】本発明の実施の形態の構成を示すブロック図である。
【図２】画面表示データを取得する動作を示すフローチャートである。
【図３】画面表示スタイルを取得して画面表示データを埋め込んで画面表示する動作を示すフローチャートである。
【図４】画面表示データ一時保存ファイルの構造の一例を示す図である。
【図５】画面表示スタイル管理ファイルの構造の一例を示す図である。
【図６】画面表示スタイルメモリテーブルの構造の一例を示す図である。
【図７】画面表示データの一例を示す図である。
【図８】画面表示スタイルの一例を示す図である。
【図９】画面表示スタイルの一例を示す図である。
【図１０】従来技術を示す図である。
【符号の説明】
【００６５】
１００    クライアントコンピュータ
１０１    利用者要求受け付け制御部
１０２    画面表示データ取得要求制御部
１０３    画面表示データ受信管理制御部
１０４    画面表示スタイル取得要求制御部
１０５    画面表示スタイル受信管理制御部
１０６    画面表示制御部
１１０    主記憶装置
１２０    補助記憶装置
１３０    表示装置
１５３    画面表示データ一時保存ファイル
１５４    画面表示スタイル一時保存ファイル
１５５    画面表示スタイルメモリテーブル
１５６    画面表示スタイル管理ファイル
２００    サーバコンピュータ
２０１    画面表示データ受け付け制御部
２０２    データベース検索制御部
２０３    画面表示データ送信制御部
２０４    画面表示スタイル受け付け制御部
２０５    画面表示スタイル読み込み制御部
２０６    画面表示スタイル送信制御部
２２０    補助記憶装置
２５７    データベース
２５８    画面表示スタイルファイル
３００    通信回線
【図１】
2006195661.tif 000003
【図２】
2006195661.tif 000004
【図３】
2006195661.tif 000005
【図４】
2006195661.tif 000006
【図５】
2006195661.tif 000007
【図６】
2006195661.tif 000008
【図７】
2006195661.tif 000009
【図８】
2006195661.tif 000010
【図９】
2006195661.tif 000011
【図１０】
2006195661.tif 000012